(57)【要約】【課題】  第１種の画面と第２種の画面とを切り替える際により利便性のあるユーザー操作を実施することができる情報処理装置及び情報処理方法を提供する。【解決手段】  複数種の画面を表示する情報処理装置において、第１種の前記画面から第２種の前記画面への切り替えを外部からの操作に基づいて指示する指示手段と、この指示手段による指示に基づいて前記切り替えを行う切り替え手段と、この切り替えに基づいて前記第２種の前記画面を表示する表示手段とを備えた情報処理装置。【選択図】  図１
2013223060.tif 000002
【特許請求の範囲】
【請求項１】
複数種の画面を表示する情報処理装置において、
第１種の前記画面から第２種の前記画面への切り替えを外部からの操作に基づいて指示する指示手段と、
この指示手段による指示に基づいて前記切り替えを行う切り替え手段と、
この切り替えに基づいて前記第２種の前記画面を表示する表示手段とを
備えた情報処理装置。
【請求項２】
前記外部からの操作は、第２種の前記画面の表示チャネルの、第１種の前記画面における選択である請求項１に記載の情報処理装置。
【請求項３】
前記外部からの操作は、第２種の前記画面用の専用ボタンの操作である請求項１に記載の情報処理装置。
【請求項４】
前記切り替えは、所定のインタフェースを介して成される請求項１に記載の情報処理装置。
【請求項５】
前記インタフェースは、特定のＨＤＭＩ（High-Definition Multimedia Interface）である請求項４に記載の情報処理装置。
【請求項６】
複数種の画面を表示する情報処理装置における情報処理方法であって、
第１種の前記画面から第２種の前記画面への切り替えを外部からの操作に基づいて指示する指示工程と、
この指示工程による指示に基づいて前記切り替えを行う切り替え工程と、
この切り替えに基づいて前記第２種の前記画面を表示する表示工程とを
含んだ情報処理方法。
【発明の詳細な説明】
【技術分野】
【０００１】
本発明の実施形態は、情報処理装置及び情報処理方法に関する。
【背景技術】
【０００２】
従来のPC（パーソナル  コンピュータ）機能とTV（テレビジョン）機能が一体化した情報処理装置においては、例えばPC画面からTV画面に切り替える際にリモコンの入力切り替えボタンを押下する必要があった。このような点においてより利便性のあるユーザー操作への要望がある。が、かかる要望を実現するための手段は知られていない。
【先行技術文献】
【特許文献】
【０００３】
【特許文献１】特開２００９−１０６２９号公報
【発明の概要】
【発明が解決しようとする課題】
【０００４】
本発明の実施の形態は、第１種の画面と第２種の画面とを切り替える際により利便性のあるユーザー操作を実施することができる情報処理装置及び情報処理方法を提供することを目的とする。
【課題を解決するための手段】
【０００５】
上記課題を解決するために、実施形態によれば、複数種の画面を表示する情報処理装置であって、第１種の前記画面から第２種の前記画面への切り替えを外部からの操作に基づいて指示する指示手段と、この指示手段による指示に基づいて前記切り替えを行う切り替え手段と、この切り替えに基づいて前記第２種の前記画面を表示する表示手段とを備える。
【図面の簡単な説明】
【０００６】
【図１】この発明の一実施形態を示す全体ブロック構成図。
【図２】同実施形態におけるリモートコントローラ（リモコン）の一例を示す、外観図および内部構成ブロック図。
【図３】PC画面からTV画面への切り替えを示す説明図。
【図４】一実施形態にかかるシンク機器の映像処理装置とこれに接続されるソース機器の映像処理装置をもつ映像処理システムの一例を示す機能ブロック図。
【図５】一実施形態にかかる映像処理装置が有しているＨＤＭＩ（High-Definition Multimedia Interface）端子の信号名を示す説明図。
【図６】同実施の形態における信号伝送システムで伝送される拡張ＣＤＣ信号のフレーム構成の一例を説明するために示す図。
【図７】画面の切り替えを示すフローチャート。
【発明を実施するための形態】
【０００７】
以下、実施形態を図１乃至図７を参照して説明する。
【０００８】
＜一実施形態である映像処理システムの構成の一例＞
ソース機器３０等が示される、一実施形態である映像処理システムの構成の一例を図面を用いて説明する。先に図４は、実施形態にかかるシンク機器２０の映像処理装置とこれに接続されるソース機器３０の映像処理装置をもつ映像処理システムの一例を示すブロック図である。
【０００９】
一実施形態である映像処理システム１は、図４に示すように、ＨＤＭＩケーブル３０１で接続されたシンク機器２０とソース機器３０を有している。なお、ＨＤＭＩケーブル３０１は、映像音声信号の専用線３０２と、制御信号の専用線３０３をもっており、一例として、映像音声信号の専用線３０２は制御信号の専用線３０３より高速に通信を行なう。
【００１０】
シンク機器２０は、ソース機器３０からの映像音声情報を表示し出力するための機器であり、具体的には後述のテレビ（ＴＶ側基板）等である。ソース機器３０は、映像音声情報をシンク機器２０へ供給するための機器であり、一般的には、ＤＶＤプレーヤ等あるいは後述の（ＰＣ側基板）である。
【００１１】
シンク機器２０は、中央演算装置である制御部１３０を持ち、制御部１３０は、記憶部１３１と、ＥＤＩＤ変更部１１１−１を含む通信部１２１と、表示部１４１と、操作部１３２の制御を行う。記憶部１３１は、シンク機器２０自体の制御プログラムや音量・映像表示設定等（後述する）の各種設定情報を記憶する部分であり、具体的にはフラッシュメモリやハードディスクドライブ等である。
【００１２】
通信部１２１は、ソース機器３０からの映像・音声信号を受信するとともに、ソース機器３０を制御するためのコマンドを送信したり、ソース機器３０側からのコマンドを受信したりする部分である。具体的には、ＨＤＭＩ（High-Definition Multimedia Interface）や、有線ＬＡＮ（Local Area Network）、無線ＬＡＮ、Ｂｌｕｅｔｏｏｔｈ（登録商標）等である。テレビとしては他にＤ端子、S端子やコンポジット端子からの入力信号を受けるのも一般的である。ＨＤＭＩの場合は、制御コマンドの送受信にＣＥＣ（Consumer Electronics Control）ラインを用いる。
【００１３】
表示部１４１は、機器制御のためのメニュー画面やソース機器３０からの映像を表示したり音声再生を行う部分であり、具体的には、液晶パネルやスピーカ等である。
【００１４】
一方、ソース機器３０は、中央演算装置である制御部２３０を持ち、制御部２３０は、記憶部２３３、通信部２１１、操作部２３２の制御を行う。記憶部２３３は、ソース機器３０自体の制御プログラムや音量・映像表示設定等の各種設定情報を記憶したり、映像・音声信号を保持したりしている部分であり、具体的にはフラッシュメモリやハードディスクドライブ、ＤＶＤドライブ等である。
【００１５】
通信部２１１は、シンク機器２０へ映像・音声信号を送信するとともに、シンク機器２０を制御するためのコマンド（制御信号）を送信したり、シンク機器２０側からのコマンド（制御信号）を受信したりする部分である。ソース機器３０を制御するためのメニュー画面も、通信部２１１を経由した映像信号としてシンク機器２０へ送られる。シンク機器２０側の通信部１２１と接続可能なインタフェース規格で実装されている部分であり、具体的にはＨＤＭＩ、有線ＬＡＮ（Local Area Network）、無線ＬＡＮ、Ｂｌｕｅｔｏｏｔｈ（登録商標）等である。
【００１６】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ規格が採用されるようなってきている。
【００１７】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【００１８】
また、ＨＤＭＩ規格では、信号の伝送に先立ち、送信側の機器と受信側の機器との間で認証を行なうことにより、送信側の機器が受信側の機器の性能に合わせた形態で信号を出力することができる。この場合、送信側の機器は、受信側の機器からＥＤＩＤ（extended display identification data）を取得することにより、受信側の機器の受信仕様を認識し、それに合わせた形態で信号を出力している。
【００１９】
図５は、本発明の一実施形態にかかる映像処理装置が有しているＨＤＭＩ端子の信号名を示す説明図である。
【００２０】
通信部１２１，２１１がＨＤＭＩである場合、ＨＤＭＩ端子は、図５に示すようなコネクタピン配列を有している。特に１３ピンのＣＥＣ信号によって、ＨＤＭＩ−ＣＥＣプロトコルに準拠して定義されたコマンドを送受信することで、相手機器の制御が可能となる。
【００２１】
図６は、実施形態における信号伝送システムで伝送される拡張ＣＤＣ信号のフレーム構成の一例を説明するために示す図である。
【００２２】
図６の例では、従前のＣＤＣと互換性のあるフレーム構成となっている。すなわち、第２ブロックの、CEC Opcode Blockの値が（0xFC）の場合に、拡張メッセージとしている。第５ブロックのExtend CDC Opcodeに、伝送機能を問い合わせるメッセージ、伝送機能の種類を示す応答メッセージ、ポーリングメッセージ等の伝送機能の切り替えに必要となるメッセージを規定し、その後のExtend CDC Parametersに、各メッセージに必要なパラメータを規定している。また、他の信号伝送の制御に関するメッセージも、Extend CDC Opcodeで規定している。
【００２３】
＜一実施形態である映像処理システムの具体的な一例＞
次に、上述した映像処理システムの具体的な一例を図面を用いて以下に紹介する。図1は、本実施形態に関する情報処理装置１の構成を示すブロック図である。上述した映像処理システムは、この情報処理装置１上に成り、ＨＤＭＩを中心にした機能ブロックを説明するものである。
【００２４】
情報処理装置１は、TV放送を視聴するためのTV側基板２０とインターネットを使用するためのPC側基板３０から構成される。
【００２５】
PC側基板３０は、PC側基板３０を制御するCPU１０４、グラフィック処理を行うグラフィック部１０５、RAM１０１、サウンド処理を行うサウンド部１０２、インターネットから取得した動画等を記録する記録装置１０３、PC側基板３０からの出力を制御する出力IF１０６等から構成される。
【００２６】
TV側基板２０は、RAM１１１、TV側基板を制御するTV SoC（System-on-a-chip）１１４、電波を受信するチューナ１１２、入力IF１１３、LCD４０を制御するLCDドライバ１１５、オーディオのミキシングを行うオーディオミキサ部１１６、PC側基板からの或いはリモコン２からの入力を処理する入力IF１１３等より構成される。
【００２７】
PC側基板３０の出力IF１０６とTV側基板２０の入力IF１１３は、HDMI６０接続されており基板間の通信は、各々のCPU１０４、TV SoC１１４間で行われる。
【００２８】
この、HDMI６０は、複数のHDMI（後述の図３の例では、HDMI１、HDMI２、HDMI３）を含むものである。
【００２９】
HDMI等通信部１２１は、入力IF１１３に依る。切り換え手段の一つの主要部である制御部１３０は、TV SoC１１４に依る。記憶部１３１は、RAM１１１に依る。指示手段の一つの主要部である操作部１３２は、入力IF１１３に依る。表示手段である表示部１４１は、グラフィック部１０５、LCDドライバ１１５とLCD４０に依る。
【００３０】
またHDMI等通信部２１１は、出力IF１０６に依る。切り換え手段のもう一つの主要部である制御部２３０は、CPU１０４に依る。記憶部２３３は、RAM１０１に依る。指示手段のもう一つの主要部である操作部２３２は、入力IF１１３に依りTV側基板２０からの図示せぬ信号によりPC側基板３０が制御されてなる。操作部１３２は、図示せぬキーボードなどの手段を用いることもできる。
【００３１】
図2は、本情報処理装置１専用のリモートコントローラ２である。従来のTVを制御するボタンに加えてTV画面からPC画面へ簡単に切り替えることのできるPCボタン２１ａ（PC画面用の専用ボタン）が付いている。
【００３２】
まず図2（ａ）について説明する。リモートコントローラ２は複数の操作スイッチ（キー）を有しており、この操作スイッチが押下されると、これに応じて情報処理装置１の操作を行うための信号を送信する機能を有している。信号の形式は、例えば、ＲＦ(Radio Frequency)信号やＩＲ（Infrared）信号を用いるのが一般的であるが、本実施形態では有線、無線の区別を問わない。
【００３３】
映像処理システムは情報処理装置１とリモートコントローラ２等より構成されており、ユーザーはリモートコントローラ２を用いて情報処理装置１を操作して所定の処理を行わせ、画像を表示させることができる。
【００３４】
次にリモートコントローラ２の詳細な構造を説明する。図２（ａ）は本実施形態におけるリモートコントローラ２の一例を示す外観図である。
【００３５】
リモートコントローラ２０は情報処理装置１の各種機能を操作するための複数のキー（スイッチ）を有している。本実施形態において、この複数のキーはキー２１、タッチパッド２２、十字キー２３およびPCボタン２１ａによって構成されている。
【００３６】
キー２１は情報処理装置１の各種機能を実行するために設けられたキーであって、リモートコントローラ２はそれぞれのキーへのユーザーの押下操作に応じて異なる操作信号を発信する。キー２１には情報処理装置１の電源投入と遮断とを切り替える電源キーと、表示する映像情報のソースを切り替える入力切替キー、ゲーム、地デジ、ＢＳ又はＣＳを選択するキーを備えた入力切替キー群と、チャンネルの選択や文字の入力等を行うチャンネル文字キー群、チャンネルの切り替えを行うチャンネル切替キーと、画面の表示形式を選択する画面表示キー、音量を調整する音量調整キー、各種情報処理装置１の機能を実現させるための色が割り当てられたカラーキー等の様々なキーが含まれている。また、情報処理装置１に表示されたカーソルの所定の位置での選択操作を行うための決定キーもこれに含まれる。本実施形態の説明においては便宜上これらのキーをPCボタン２１ａを含め一纏めのキー２１として説明し、タッチパッド２２及び十字キー２３をこのキー２１とは分けて説明する。
【００３７】
タッチパッド２２は、例えばユーザーの指等によるタッチパッド２２表面への接触を静電容量の変化で検知し、この検知点を示す検知信号を出力する機能を有している。このタッチパッド２２の表面を指でなぞることによって、ユーザーは情報処理装置１に表示されたカーソルの操作を行うことが可能である。
【００３８】
十字キー２３は、リモートコントローラ２０内部の、タッチパッド２２の裏面に対向に位置に設けられており、ユーザーに押下されたタッチパッド２２の裏面が接触することで、この押圧を検知して検知信号を出力する。十字キー２３は図５中のポイントＡのリモートコントローラ２内部に当たる位置に上下左右が割り当てられて４つ設けられている。この4つのスイッチから構成される十字キー２３は、それぞれの上下左右の方向を示す信号を出力する。
【００３９】
本実施形態において、リモートコントローラ２０はタッチパッド２２と十字キー２３とが一体として設けられている（タッチパッド２２が十字キー２３と兼用されている）。十字キー２３が押下される際にはユーザーの指はタッチパッド２２に接触しており、このときにはタッチパッド２２と十字キー２３はそれぞれ検知信号を出力することとなる。
【００４０】
本実施形態におけるリモートコントローラ２０ではタッチパッド２２と十字キー２３とが外部から見て同じ位置に設けられているように例示したがこれに限定されず、異なった位置に独立してそれぞれが設けられていてもよい。
【００４１】
次にリモートコントローラ２の内部構成について説明する。図２（ｂ）は本実施形態におけるリモートコントローラ２の内部構成の一例を示すブロック図である。
【００４２】
キー２１、タッチパッド２２、及び十字キー２３より出力される検知信号は、リモコン制御部２４に入力される。リモコン制御部２４は入力された信号に基づいて、情報処理装置１を操作するための操作信号を生成し、送信部２５によって外部に送信させる。この送信された操作信号を受信部１１８が受信すると情報処理装置１はこの操作信号に応じた所定の処理を実行する。
【００４３】
本実施形態においては、キー２１の押下によってリモートコントローラ２から送信される信号をキー操作信号、タッチパッド２２をなぞることによって送信される信号をタッチパッド操作信号、十字キー２３を押下することによって送信される信号を十字キー操作信号と呼ぶこととする。PCボタン２１ａから送信される信号は、前述に基づきキー操作信号に含まれるが、以下で区別して表現する場合はPCボタン操作信号とよぶ。
【００４４】
図3は、PC画面からTV画面への切り替えを示す説明図である。
【００４５】
PC画面の番組名（ニュース７１）をユーザーがクリックすることによりPC側基板３０のCPU１０４からTV側基板２０のTV SoC１１４へキーコードが送信され、TV画面へリモコン２の入力切り替えボタンを押すことなく自動的に切り替わる。
【００４６】
ここで改めて図1乃至図3を参照して本実施形態のPC画面からTV画面へ自動的に切り替わる方法を説明する。図3に示すようにPC画面にて番組情報検索を行った状態から番組名のボタンをクリックする。クリックを受け付けたPC側基板３０のCPU１０４は、キーコードをTV側基板２０の出力をTVへ切り替えるようTV側基板２０のTV SoCへ送る。TV側基板２０のTV SoC１１４は、入力IF部１１３を制御して入力のHDMI６０をHDMI1（特定のHDMI）へ自動的に切り替える。こうすることによってユーザーは、リモコンの入力ボタンを押すことなく容易にTV画面を見ることが出来る。
【００４７】
また、ユーザーがTV画面から容易にPC画面へ切り替わる方法を説明する。ユーザーがTV画面を見ていた際にPC画面へ切り替えたいと思った際には、情報処理装置１専用リモコン２のPCボタンを押す。リモコン２のPCボタンのIR信号を受けたTV側基板２０は、入力IF１１３を制御して出力をHDMI1にしてPC側基板からの信号に切り替える。こうすることによってユーザーは、リモコン２の入力切り替えボタンを複数回押すことなしに容易にPC画面へ切り替えることが可能となる。
【００４８】
図７は、画面の切り替えを示すフローチャートである。図７（ａ）は、PC画面からTV画面に切り替えて使用する場合である。ユーザーによる入力としてTVチャンネルの指定を待つ（ステップＳ７１）。入力があると画面切り替えを行う（ステップＳ７２）。
【００４９】
また図７（ｂ）は、TV画面からPC画面に切り替えて使用する場合である。ユーザーによる入力としてPCボタン２１ａの操作を待つ（ステップＳ７６）。入力があると画面切り替えを行う（ステップＳ７７）。
【００５０】
以上、上述したように情報処理装置１においてPC画面からTV画面に切り替えて使用する際に指定のチャンネルに自動的に切り替える。また、TV画面からPC画面に切り替える際にリモコンのPCボタンを押下すればHDMI入力1に自動的に切り替わる。
【００５１】
その結果、ユーザーは容易にPC画面からTV画面に切り替えることが可能となる。また、TV画面からPC画面に容易に切り替えることが可能となる。
【００５２】
従来のPC機能とTV機能が一体化した情報処理装置においては、PC画面からTV画面に切り替える際にリモコンの入力切り替えボタンを押下する必要があった。本実施形態においてはPC画面からTV画面に切り替えて使用する際にHDMI入力1（HDMI1）に自動的に切り替える。また、TV画面からPC画面に切り替える際にリモコンのPCボタンを押下すればHDMI入力1に自動的に切り替わる。
【００５３】
その結果、ユーザーは容易にPC画面からTV画面に切り替えることが可能となる。また、TV画面からPC画面に容易に切り替えることが可能となる。
【００５４】
（実施形態の補足）
（１）PC機能とTV機能が一体化した情報処理装置１において、PC画面からTV画面へ切り替えて使用するときに自動的にPC画面で指定したチャンネルに切り替えられることを特徴とする情報処理装置１である。
【００５５】
（２）また、PC機能とTV機能が一体化した情報処理装置１において、TV画面からPC画面へ切り替える時にリモコンのPCボタンを押したときには、決まったHDMI入力が優先して選択されることを特徴とする情報処理装置１である。
【００５６】
なお、この発明は上記実施形態に限定されるものではなく、この外その要旨を逸脱しない範囲で種々変形して実施することができる。
【００５７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５８】
１…情報処理装置、２…リモートコントローラ、２０…シンク機器、２１…キー、２１ａ…PCボタン、２２…タッチパッド、２３…十字キー、２４…リモコン制御部、２５…発信部、３０…ソース機器、１２１…通信部、１３０…制御部、１３１…記憶部、１４１…音声映像出力部、３０…ソース機器、２１１…通信部、２３０…制御部、２３３…記憶部。
【図１】
2013223060.tif 000003
【図２】
2013223060.tif 000004
【図３】
2013223060.tif 000005
【図４】
2013223060.tif 000006
【図５】
2013223060.tif 000007
【図６】
2013223060.tif 000008
【図７】
2013223060.tif 000009